(57)【要約】【課題】  ＬＥＤランプ及びその取付方法において、ＬＥＤランプを基板に取り付ける際、取付ホルダーを用いずに、ＬＥＤランプのＬＥＤ素子を有する部分を基板に対して所定の角度に傾けて取り付けられるようにする。【解決手段】  ＬＥＤランプの本体部１０は、ＬＥＤ素子を有する胴体部１０ａと、基板２と当接する取付部１０ｂと、取付部１０ｂと胴体部１０ａとの間に形成された屈曲部１０ｃを有しており、取付部１０ｂには脚部１１が設けられている。脚部１１を取付孔２１に嵌入し、リードフレーム１３をリードフレーム挿入孔２２に挿入して、ＬＥＤランプ１を基板２に取り付けたときに、ＬＥＤランプ１は、その胴体部１０ａが基板２に対して所定の角度を成す状態で基板２上に保持される。【選択図】    図１
2005303157.tif 000002
【特許請求の範囲】
【請求項１】
ＬＥＤ素子を樹脂モールドした本体部と、該ＬＥＤ素子に電気的に接続された一対のリードフレームを有するＬＥＤランプにおいて、
前記本体部は、ＬＥＤ素子を有する胴体部と、基板と当接する当接面を有する取付部と、前記胴体部が基板に対して所定の角度で傾斜するように前記取付部と前記胴体部との間に形成された屈曲部とを有しており、
前記取付部は、前記基板との当接面に該取付部と一体的に設けられて、該基板に設けられた取付孔に嵌入可能な形状の脚部を持ち、
前記一対のリードフレームは、前記取付部の当接面以外の面から前記本体部の外方に突出しており、
前記脚部の端部には、該脚部を前記取付孔に嵌入したときに、該脚部を該基板の裏面で係止して、該ＬＥＤランプの前記基板からの脱落を防止する係止爪が設けられており、
前記一対のリードフレームを前記基板に設けられた一対のリードフレーム挿入孔に挿入し、前記脚部を前記取付孔に嵌入して、該ＬＥＤランプを前記基板に取り付けたときに、該ＬＥＤランプは、その胴体部が該基板に対して所定の角度を成す状態で該基板上に保持されることを特徴とするＬＥＤランプ。
【請求項２】
ＬＥＤ素子を樹脂モールドした本体部と、該ＬＥＤ素子に電気的に接続された一対のリードフレームを有するＬＥＤランプにおいて、
前記本体部は、ＬＥＤ素子を有する胴体部と、基板と当接する当接面を有する取付部と、前記胴体部が基板に対して所定の角度で傾斜するように前記取付部と前記胴体部との間に形成された屈曲部とを有しており、
前記取付部は、前記基板との当接面に該取付部と一体的に設けられて、該基板に設けられた取付孔に嵌入可能な形状の脚部を持ち、
前記一対のリードフレームを前記基板に設けられた一対のリードフレーム挿入孔に挿入し、前記脚部を前記取付孔に嵌入して、該ＬＥＤランプを前記基板に取り付けたときに、該ＬＥＤランプは、その胴体部が該基板に対して所定の角度を成す状態で該基板上に保持されることを特徴とするＬＥＤランプ。
【請求項３】
ＬＥＤ素子を樹脂モールドした本体部と、該ＬＥＤ素子に電気的に接続された一対のリードフレームとを有し、
前記本体部は、ＬＥＤ素子を有する胴体部と、基板と当接する当接面を有する取付部と、前記胴体部が基板に対して所定の角度で傾斜するように前記取付部と前記胴体部との間に形成された屈曲部とを有しており、
前記取付部は、前記基板との当接面に該取付部と一体的に設けられて、該基板に設けられた取付孔に嵌入可能な形状の脚部を持ち、
前記脚部の端部には、該脚部を前記取付孔に嵌入したときに、該脚部を該基板の裏面で係止して、該ＬＥＤランプの前記基板からの脱落を防止する係止爪が設けられているＬＥＤランプを前記基板に取り付ける方法であって、
前記一対のリードフレームを、前記当接面に対して略直角を成す方向に折り曲げてから前記基板に設けられた一対のリードフレーム挿入孔に挿入し、
前記脚部を前記取付孔に嵌入し、
前記リードフレームを前記基板の裏面に形成された配線パターンにはんだ付けして、
前記ＬＥＤランプを、その胴体部が前記基板に対して所定の角度を成す状態で該基板上に取り付けるようにしたことを特徴とするＬＥＤランプ取付方法。
【発明の詳細な説明】
【技術分野】
【０００１】
本発明は、電子機器等の基板に実装されるＬＥＤランプ及びその取付方法に関するものである。
【背景技術】
【０００２】
従来から電子機器の表示灯部等にＬＥＤ（Light  Emitting  Diode）ランプが使用されている。図３は従来のＬＥＤランプの例を示す透視図である。ＬＥＤランプ１００は、ＬＥＤ素子１０１を透明樹脂１０２等でモールドした本体部１１０と、リード線１０３等を用いてＬＥＤ素子１０１に電気的に接続された一対のリードフレーム１１３等とから構成されている。このようなＬＥＤランプ１００は、一般的には、基板に設けられたリードフレーム挿入用の孔にリードフレームを挿入し、基板の裏面でリードフレームをはんだ付けすることにより基板に取り付けられる。
【０００３】
ところで、ＬＥＤランプの光の指向性を変化させて特定方向の光度を高めたい場合や、電子機器の小型化を図るために、ＬＥＤランプを基板に対して斜めに傾けて取り付けたい場合がある。従来、ＬＥＤランプを基板に対して傾けて取り付ける際には、別部品である取付ホルダーを用いて、これにＬＥＤランプを所定角度で保持させて取り付けていた。ところが、この方法においては、取付ホルダーを用いるために、部品点数が増えて、コスト高になると共に、製造工程が多くなるという問題があった。
【０００４】
一方、取付ホルダーを用いないものとして、ＬＥＤランプの本体部を基板に対して略平行な横向きにし、本体部の一部を基板に設けられた孔等に嵌合して取り付けたＬＥＤランプの取付構造が知られている（例えば、特許文献１参照）。また、ＬＥＤランプのリードフレームを所定の角度に曲げて基板に取り付けるようにしたＬＥＤランプが知られている（例えば、特許文献２参照）。
【特許文献１】特開平１０−９１０９３号公報
【特許文献２】実開昭６３−９３６６６号公報
【発明の開示】
【発明が解決しようとする課題】
【０００５】
しかし、特許文献１の発明においては、基板に対してＬＥＤランプの本体部を略平行な横向きにして取り付ける場合は、取付ホルダーを用いず、簡易かつ確実に取り付けることができるが、ＬＥＤランプの本体部を基板に対して斜めに傾けて取り付けることはできない。また、特許文献２に記載の発明においては、取付ホルダーを用いずに、ＬＥＤランプの本体部を基板に対して所定の角度で斜めに傾けて取り付けられるものの、ＬＥＤランプの本体部は基板から浮いた状態にあるため、取り付ける際のＬＥＤランプの位置決めや、取付強度の面で問題が生じる場合がある。
【０００６】
本発明は、上述した問題点を解決するためになされたものであり、ＬＥＤランプを基板に取り付ける際、取付ホルダーを用いずに、ＬＥＤランプのＬＥＤ素子を有する部分を基板に対して所定の角度に傾けて、簡単かつ確実に取り付けられるＬＥＤランプ及びその取付方法を提供することを目的とする。
【課題を解決するための手段】
【０００７】
上記目的を達成するために請求項１の発明は、ＬＥＤ素子を樹脂モールドした本体部と、該ＬＥＤ素子に電気的に接続された一対のリードフレームを有するＬＥＤランプにおいて、前記本体部は、ＬＥＤ素子を有する胴体部と、基板と当接する当接面を有する取付部と、前記胴体部が基板に対して所定の角度で傾斜するように前記取付部と前記胴体部との間に形成された屈曲部とを有しており、前記取付部は、前記基板との当接面に該取付部と一体的に設けられて、該基板に設けられた取付孔に嵌入可能な形状の脚部を持ち、前記一対のリードフレームは、前記取付部の当接面以外の面から前記本体部の外方に突出しており、前記脚部の端部には、該脚部を前記取付孔に嵌入したときに、該脚部を該基板の裏面で係止して、該ＬＥＤランプの前記基板からの脱落を防止する係止爪が設けられており、前記一対のリードフレームを前記基板に設けられた一対のリードフレーム挿入孔に挿入し、前記脚部を前記取付孔に嵌入して、該ＬＥＤランプを前記基板に取り付けたときに、該ＬＥＤランプは、その胴体部が該基板に対して所定の角度を成す状態で該基板上に保持されるものである。
【０００８】
この構成においては、ＬＥＤランプの本体部は、ＬＥＤ素子を有する胴体部と、基板と当接する取付部と、取付部と胴体部との間に形成された屈曲部を有しているため、ＬＥＤランプを基板に取り付けたときに、ＬＥＤランプは、その胴体部が基板に対して所定の角度を成す状態で基板上に保持される。
【０００９】
また、取付部には、基板に設けられた取付孔に嵌入可能な形状の脚部が設けられており、ＬＥＤランプを基板に取り付ける際に、この脚部を取付孔に嵌入すると、脚部の端部に設けられた係止爪が基板の裏面と係合して、脚部が基板に係止される。また、リードフレームは取付部の当接面以外の面からＬＥＤランプの本体部の外方に突出しているため、当接面を削ることにより取付角度を、若干補正することができる。
【００１０】
請求項２の発明は、ＬＥＤ素子を樹脂モールドした本体部と、該ＬＥＤ素子に電気的に接続された一対のリードフレームを有するＬＥＤランプにおいて、前記本体部は、ＬＥＤ素子を有する胴体部と、基板と当接する当接面を有する取付部と、前記胴体部が基板に対して所定の角度で傾斜するように前記取付部と前記胴体部との間に形成された屈曲部とを有しており、前記取付部は、前記基板との当接面に該取付部と一体的に設けられて、該基板に設けられた取付孔に嵌入可能な形状の脚部を持ち、前記一対のリードフレームを前記基板に設けられた一対のリードフレーム挿入孔に挿入し、前記脚部を前記取付孔に嵌入して、該ＬＥＤランプを前記基板に取り付けたときに、該ＬＥＤランプは、その胴体部が該基板に対して所定の角度を成す状態で該基板上に保持されるものである。
【００１１】
この構成においては、ＬＥＤランプの本体部は、ＬＥＤ素子を有する胴体部と、基板と当接する取付部と、取付部と胴体部との間に形成された屈曲部を有しているため、ＬＥＤランプを基板に取り付けたときに、ＬＥＤランプは、その胴体部が基板に対して所定の角度を成す状態で基板上に保持される。また、取付部には、基板に設けられた取付孔に嵌入可能な形状の脚部が設けられており、ＬＥＤランプを基板に取り付ける際に、この脚部を取付孔に嵌入する。
【００１２】
請求項３の発明は、ＬＥＤ素子を樹脂モールドした本体部と、該ＬＥＤ素子に電気的に接続された一対のリードフレームとを有し、前記本体部は、ＬＥＤ素子を有する胴体部と、基板と当接する当接面を有する取付部と、前記胴体部が基板に対して所定の角度で傾斜するように前記取付部と前記胴体部との間に形成された屈曲部とを有しており、前記取付部は、前記基板との当接面に該取付部と一体的に設けられて、該基板に設けられた取付孔に嵌入可能な形状の脚部を持ち、前記脚部の端部には、該脚部を前記取付孔に嵌入したときに、該脚部を該基板の裏面で係止して、該ＬＥＤランプの前記基板からの脱落を防止する係止爪が設けられているＬＥＤランプを前記基板に取り付ける方法であって、前記一対のリードフレームを、前記当接面に対して略直角を成す方向に折り曲げてから前記基板に設けられた一対のリードフレーム挿入孔に挿入し、前記脚部を前記取付孔に嵌入し、前記リードフレームを前記基板の裏面に形成された配線パターンにはんだ付けして、前記ＬＥＤランプを、その胴体部が前記基板に対して所定の角度を成す状態で該基板上に取り付けるものである。
【００１３】
この構成においては、胴体部と、脚部を有する取付部と、屈曲部とを有するＬＥＤランプを、リードフレーム挿入孔と脚部が嵌入される取付孔とを有する基板に、ＬＥＤランプのリードフレームを基板のリードフレーム挿入孔に挿入し、ＬＥＤランプの脚部を基板の取付孔に嵌入して取り付ける方法であるため、ＬＥＤランプの胴体部が基板に対して所定の角度を成す状態で、ＬＥＤランプを基板上に取り付けることができる。また、係止爪を有する脚部を基板の取付孔に嵌入することにより、脚部を基板の裏面で係止することができる。
【発明の効果】
【００１４】
以上のように請求項１の発明によれば、ＬＥＤランプは、その胴体部が基板に対して所定の角度を成す状態で基板上に確実に保持されるため、取付ホルダー等を用いずに、ＬＥＤランプの光の指向性を変化させることができる。また、取付ホルダー等を用いずにＬＥＤランプを直接基板に実装することができるので、取り付け工程を従来より簡略化することができると共に、部品点数を削減し、製造コストを低減することができる。
【００１５】
また、ＬＥＤランプの脚部を基板の取付孔に嵌入可能な形状としたことにより、ＬＥＤランプを基板に取り付ける際の位置決めを容易にすることができる。また、係止爪は、脚部が基板の取付孔に嵌入された状態で、脚部を基板の裏面で係止するため、リードフレームを基板の裏面に形成された配線パターンにはんだ付けする際に、ＬＥＤランプを基板に取り付けた状態で基板を裏返しにしても、ＬＥＤランプが基板から抜け落ちることがなくなるので、はんだ付け作業が容易となる。
【００１６】
また、リードフレームは取付部の当接面以外の面からＬＥＤランプの本体部の外方に突出しているため、当接面を削ることにより容易に取付角度を補正することができる。
【００１７】
請求項２の発明によれば、ＬＥＤランプは、その胴体部が基板に対して所定の角度を成す状態で基板上に確実に保持されるため、取付ホルダー等を用いずに、ＬＥＤランプの光の指向性を変化させることができ、製造コストを低減することができる。また、ＬＥＤランプの脚部を、基板の取付孔に嵌入可能な形状としたことにより、ＬＥＤランプを基板に取り付ける際の位置決めを容易にすることができる。
【００１８】
請求項３の発明によれば、胴体部、取付部、屈曲部等をするＬＥＤランプを基板に、ＬＥＤランプの胴体部が基板に対して所定の角度を成す状態で取り付けることができるようにしたため、取付ホルダー等を用いずに、ＬＥＤランプの光の指向性を変化させることができる。また、脚部を取付孔に嵌入して取り付けるため、取り付ける際の位置決めを容易にすることができる。また、係止爪は、脚部を基板の裏面で係止するため、リードフレームを基板の裏面に形成された配線パターンにはんだ付けする際に、ＬＥＤランプを基板に取り付けた状態で基板を裏返しにしても、ＬＥＤランプが基板から抜け落ちることがなくなるので、はんだ付け作業が容易となる。
【発明を実施するための最良の形態】
【００１９】
本発明の一実施形態によるＬＥＤランプについて図面を参照して説明する。図１は、電子機器に搭載される基板２にＬＥＤランプ１を取り付けたときの状態を示す側面図（図１（ａ））及び正面図（図１（ｂ））である。ＬＥＤランプ１は、本体部１０とリードフレーム１３等で構成されている。ＬＥＤランプ１の本体部１０は、不図示のＬＥＤ素子を有する胴体部１０ａと、基板２と当接する当接面１０ｄを有する取付部１０ｂと、胴体部１０ａが基板２に対して所定の角度で傾斜するように取付部１０ｂと胴体部１０ａとの間に屈曲して形成された屈曲部１０ｃとを有している。
【００２０】
また、取付部１０ｂは、基板２に設けられた取付孔２１と嵌合するように、当接面１０ｄに取付部１０ｂと一体的に設けられた脚部１１を有している。脚部１１の端部には、脚部１１が取付孔２１に嵌入されたときに、脚部１１を基板２の裏面で係止してＬＥＤランプ１の基板２からの脱落を防止する係止爪１２が設けられている。なお、図２に示されるように、係止爪１２の上端部１２ａから当接面１０ｄまでの長さｄ２は、脚部１１を基板２の裏面まで挿通することが可能なように、基板２の厚さｄ１より若干長くなっている。また、リードフレーム１３は、取付部１０ｂの側面から本体部１０の外方に突出している。これは、ＬＥＤランプ１を製造した後であっても、当接面１０ｄを削ることにより若干の角度補正をする場合があり、そのような場合にリードフレーム１３が邪魔にならないようにするためである。
【００２１】
次に、ＬＥＤランプ１を基板２に取り付ける方法について説明する。ＬＥＤランプ１を基板２に取り付ける際、ＬＥＤランプ１のリードフレーム１３は当接面１０ｄに対して略直角を成す方向に折り曲げられて、基板２に設けられた一対のリードフレーム挿入孔２２に挿入される。また、ＬＥＤランプ１の脚部１１は、基板２の取付孔２１に嵌入される。脚部１１を取付孔２１に嵌入可能な形状としたことにより、ＬＥＤランプ１を基板２に取り付ける際の位置決めを容易にすることができる。
【００２２】
脚部１１を取付孔２１に挿入する際には、係止爪１２の傾斜部１２ｂが取付孔２１の入口の縁２１ａに接して、脚部１１を取付孔２１の内方に押し曲げらながら、脚部１１は取付孔２１に挿入される。そして、係止爪１２の上端部１２ａが取付孔２１を挿通すると、脚部１１は元の形状に戻り、係止爪１２の上端部１２ａが基板２の裏面と接することにより、脚部１１が基板２に係止される。そして、基板２の裏面に設けられた配線パターンにリードフレーム１３をはんだ３で接着することにより、ＬＥＤランプ１は基板２に取り付けられる。
【００２３】
リードフレーム１３を基板２の裏面に形成された配線パターンに、はんだ３で接着する際に、係止爪１２は、脚部１１が基板２の取付孔２１に嵌入された状態で、脚部１１を基板２の裏面で係止するため、基板２を裏返しにしても、ＬＥＤランプ１が基板２から抜け落ちることがなくなり、はんだ付け作業が容易となる。
【００２４】
上述した方法により、ＬＥＤランプ１は、その胴体部１０ａが基板２に対して所定の角度を成す状態で基板２上に確実に保持されるため、取付ホルダー等を用いずに、ＬＥＤランプ１の光の指向性を変化させることができる。また、取付ホルダー等を用いずにＬＥＤランプ１を直接基板２に実装することができるので、取り付け工程を従来より簡略化することができると共に、部品点数を削減し、製造コストを低減することができる。
【００２５】
なお、本発明は、上記実施形態の構成に限られることなく種々の変形が可能である。例えば、脚部の数は、２本である必要はなく、少なくとも１本以上あればよい。また、脚部の係止爪は必ずしも必要ではなく、例えば、脚部が棒状のものであってもよいし、リブ状のものであってもよい。また、係止爪の形状も上記実施形態には限られず、脚部を基板に係止してＬＥＤランプの基板からの抜け落ちを防止する形状であればよい。
【図面の簡単な説明】
【００２６】
【図１】（ａ），（ｂ）は、本発明の一実施形態によるＬＥＤランプを基板に取り付けたときの状態を示す側面図及び正面図。
【図２】同ＬＥＤランプを基板に取り付けたときの脚部及びリードフレーム周辺の構造を示す断面図。
【図３】従来のＬＥＤランプの透視図。
【符号の説明】
【００２７】
１    ＬＥＤランプ
２    基板
３    はんだ
１０    本体部
１０ａ    胴体部
１０ｂ    取付部
１０ｃ    屈曲部
１０ｄ    当接面
１１    脚部
１２    係止爪
１３    リードフレーム
２１    取付孔
２２    リードフレーム挿入孔
【図１】
2005303157.tif 000003
【図２】
2005303157.tif 000004
【図３】
2005303157.tif 000005